(57)【要約】【課題】  煩雑な操作を行うことなく他人に利用されることを防止することが可能な携帯型通信端末装置及びセキュリティシステムを提供すること。【解決手段】  本発明にかかる携帯型端末装置１は、他の無線通信装置８との間で無線通信を実行する携帯型端末装置である。携帯型端末装置１は、予め登録された特定の無線通信装置８の識別情報を記憶する記憶手段３と、他の無線通信装置８より送信された信号を受信する無線通信手段６及び制御手段２を備える。また、制御手段２は、無線通信手段６により受信した信号に含まれる識別情報を取得し、当該識別情報が記憶手段３に記憶された識別情報と一致した場合に、携帯型端末装置１の特定の機能を有効にする。このような構成により、利用者は煩雑な操作を行うことなく特定の無線通信装置を持たない他人に携帯型端末装置を利用される危険を防止することが可能となる。【選択図】図２
2005130008.tif 000002
【特許請求の範囲】
【請求項１】
予め登録された特定の無線通信装置の識別情報を記憶する記憶手段と、
無線通信装置より送信された信号を受信する無線通信手段と、
前記無線通信手段により受信した信号に含まれる識別情報を取得し、当該識別情報が前記記憶手段に記憶された識別情報と一致した場合に、当該携帯型端末装置の特定の機能を有効にする制御手段とを備えた携帯型端末装置。
【請求項２】
予め登録された特定の無線通信装置の識別情報及び認証情報を記憶する記憶手段と、
無線通信装置より送信された信号を受信する無線通信手段と、
前記無線通信手段により受信した信号に含まれる識別情報を取得し、当該識別情報が前記記憶手段に記憶された識別情報と一致すると共に前記記憶手段に記憶された認証情報を用いて認証処理を行い、認証が成立した場合に、当該携帯型端末装置の特定の機能を有効にする制御手段とを備えた携帯型端末装置。
【請求項３】
前記無線通信装置は、利用者の身に装着させる装着品であることを特徴とする請求項１又は２記載の携帯型端末装置。
【請求項４】
前記制御手段は、当該識別情報が前記記憶手段に記憶された識別情報と一致しなかった場合に、パスワード入力を行うことにより、当該携帯型端末装置の特定の機能を有効にするよう制御することを特徴とする請求項１又は２記載の携帯型端末装置。
【請求項５】
携帯型端末装置と、当該携帯型端末装置と無線通信を実行する無線通信装置とを備えたセキュリティシステムであって、
前記携帯型端末装置は、
予め登録された特定の無線通信装置の識別情報を記憶する記憶手段と、
前記無線通信装置より送信された信号を受信する無線通信手段と、
前記無線通信手段により受信した信号に含まれる識別情報を取得し、当該識別情報が前記記憶手段に記憶された識別情報と一致した場合に、当該携帯型端末装置の特定の機能を有効にする制御手段とを備え、
前記無線通信装置は、
自身の識別情報を記憶する記憶手段と、
前記携帯型端末装置に対して信号を送信する無線通信手段と、
前記記憶手段より識別情報を読み出して、前記無線通信手段によって当該識別情報を含む信号を送信するよう制御する制御手段とを備えたセキュリティシステム。
【請求項６】
携帯型端末装置と、当該携帯型端末装置と無線通信を実行する無線通信装置とを備えたセキュリティシステムであって、
前記携帯型端末装置は、
予め登録された特定の無線通信装置の識別情報を記憶する記憶手段と、
前記無線通信装置より送信された信号を受信する無線通信手段と、
前記無線通信手段により受信した信号に含まれる識別情報を取得し、当該識別情報が前記記憶手段に記憶された識別情報と一致した場合に、当該携帯型端末装置の特定の機能を有効にする制御手段とを備え、
前記無線通信装置は、
自身の識別情報及び予め登録された特定の携帯型端末装置の識別情報を記憶する記憶手段と、
前記携帯型端末装置に対して信号を送受信する無線通信手段と、
前記無線通信手段により受信した信号に含まれる識別情報を取得し、当該識別情報が前記記憶手段に記憶された携帯型端末装置の識別情報と一致した場合に、前記無線通信手段によって当該識別情報を含む信号を送信するよう制御する制御手段とを備えたセキュリティシステム。
【請求項７】
携帯型端末装置と、当該携帯型端末装置と無線通信を実行する無線通信装置とを備えたセキュリティシステムであって、
前記携帯型端末装置は、
予め登録された特定の無線通信装置の識別情報及び認証情報を記憶する記憶手段と、
他の無線通信装置より送信された信号を受信する無線通信手段と、
前記無線通信手段により受信した信号に含まれる識別情報を取得し、当該識別情報が前記記憶手段に記憶された識別情報と一致すると共に前記記憶手段に記憶された認証情報を用いて認証処理を行い、認証が成立した場合に、当該携帯型端末装置の特定の機能を有効にする制御手段とを備え、
前記無線通信装置は、
自身の識別情報及び認証情報を記憶する記憶手段と、
前記携帯型端末装置に対して信号を送信する無線通信手段と、
前記記憶手段より識別情報を読み出して、前記無線通信手段によって当該識別情報を含む信号及び認証情報を含む信号を送信するよう制御する制御手段とを備えたセキュリティシステム。
【請求項８】
前記無線通信装置は、利用者の身に装着させる装着品であることを特徴とする請求項５，６又は７記載のセキュリティシステム。
【発明の詳細な説明】
【技術分野】
【０００１】
本発明は無線通信機能を有する携帯型端末装置及びセキュリティシステムに関するものであり、より詳細には、携帯型端末装置のセキュリティ向上技術に関する。
【背景技術】
【０００２】
携帯電話を代表とする移動体通信分野は、近年急速に進歩し、様々な場所・状況において用いられるようになった。それに伴って、携帯電話を落としたり忘れたりする状況も増加しているが、この場合に、他人の利用を制限する手段がなければ、他人の利用による通話料金を所有者本人が負担することになる。また、携帯電話には電話帳や通話記録が記憶されるため、かかる情報を他人が盗み見ることにより、プライバシーの侵害、営業秘密の不正取得という問題も発生する。
【０００３】
他人に携帯電話の利用を抑制する方法としてパスワードを用いる方法が普及している。かかる方法を実行する機能を有する携帯電話には、まず誤ってキー操作をしないように所定の操作以外のキー操作を無効にする機能を有する。そして、他人が携帯電話の操作をできないようにするために、キー操作を無効にした状態から復帰する場合に、パスワードの入力を必要とし、かかるパスワードが事前に登録したパスワードと一致しなければキー操作を無効にした状態から復帰できないような機能を有する。
また、端末装置のセキュリティ保護をキーボード操作でできるようにし、端末装置の起動時のセキュリティ保護を行なうか行なわないかを端末装置の電源を切断する際のオペレータの操作により選択できるようにする技術も提案されている（例えば、特許文献１）。
上述のパスワードを用いる方法は、有効な手段であるが、オペレータが操作を行なってキー操作を無効にする状態に移行させる手間が必要になる。一旦操作を無効にする状態になると、本人が何か操作を行ないたい場合に、パスワードを入力しなければならないので、緊急で電話をかけたい場合など余計な操作が必要ですぐに操作することができない。従って、セキュリティと操作性の兼ね合いとなり、操作性を重視する場合は、セキュリティの低下を容認しなければならなかった。
特に最近ではキーが剥き出しになっているストレート型携帯電話からいわゆる折りたたみ型携帯電話へ流行が移ってきている。折りたたみ型携帯電話は、キーが剥き出しになっておらず誤ってキー操作をしてしまう心配がないので、キー操作を無効にした状態に設定する必要が薄れ、これに伴いパスワードによる保護機能を利用するケースも減少した。そのため、携帯電話を誤って落としたり、置き忘れたりした場合に他人に利用される危険性が増加傾向にある。
【特許文献１】特開平６−３５８５８号公報
【発明の開示】
【発明が解決しようとする課題】
【０００４】
従来のパスワードを用いる方法では、本人が利用する際にパスワードを入力する必要があり、操作が煩雑になってしまうという問題点があった。
【０００５】
他方、折りたたみ型携帯電話等のキーが誤入力される危険のない携帯型端末装置では、キー入力を無効にする必要性が薄れてしまい、パスワード入力の煩雑さからパスワード設定をしない場合が増加し、その結果他人に利用される危険性が増加してしまうという問題点があった。
【０００６】
本発明は、このような問題点を解決するためになされたものであり、煩雑な操作を行うことなく他人に利用されることを防止することが可能な携帯型通信端末装置及びセキュリティシステムを提供することを目的とする。
【課題を解決するための手段】
【０００７】
本発明にかかる携帯型端末装置は、他の無線通信装置との間で無線通信を実行する携帯型端末装置であって、予め登録された特定の無線通信装置の識別情報を記憶する記憶手段と、他の無線通信装置より送信された信号を受信する無線通信手段と、前記無線通信手段により受信した信号に含まれる識別情報を取得し、当該識別情報が前記記憶手段に記憶された識別情報と一致した場合に、当該携帯型端末装置の特定の機能を有効にする制御手段とを備えるものである。このような構成により、利用者は煩雑な操作を行うことなく特定の無線通信装置を持たない他人に携帯型端末装置を利用される危険を防止することが可能となる。
【０００８】
また、本発明にかかる携帯型端末装置は、他の無線通信装置との間で無線通信を実行する携帯型端末装置であって、予め登録された特定の無線通信装置の識別情報及び認証情報を記憶する記憶手段と、他の無線通信装置より送信された信号を受信する無線通信手段と、前記無線通信手段により受信した信号に含まれる識別情報を取得し、当該識別情報が前記記憶手段に記憶された識別情報と一致すると共に前記記憶手段に記憶された認証情報を用いて認証処理を行い、認証が成立した場合に、当該携帯型端末装置の特定の機能を有効にする制御手段とを備えるものである。このような構成により、利用者は煩雑な操作を行うことなく特定の無線通信装置を持たない他人に携帯型端末装置を利用される危険を防止することが可能となる。特にこの発明によれば、認証処理まで行うため、他人の不正使用をより確実に防止できる。
【０００９】
上述の無線通信装置は、利用者の身に装着させる装着品であることを特徴としてもよい。これにより、利用者は携帯型端末装置を紛失したとしても、同時に無線通信装置を紛失する可能性を低下させることが可能となる。
【００１０】
上述の制御手段は、当該識別情報が前記記憶手段に記憶された識別情報と一致しなかった場合に、パスワード入力を行うことにより、当該携帯型端末装置の特定の機能を有効にするよう制御することを特徴としてもよい。これにより、利用者は無線通信装置が手元にない場合にもパスワードにより安全に携帯型端末装置を利用することができる。
【００１１】
本発明にかかるセキュリティシステムは、携帯型端末装置と、当該携帯型端末装置と無線通信を実行する無線通信装置とを備えたセキュリティシステムであって、前記携帯型端末装置は、予め登録された特定の無線通信装置の識別情報を記憶する記憶手段と、他の無線通信装置より送信された信号を受信する無線通信手段と、前記無線通信手段により受信した信号に含まれる識別情報を取得し、当該識別情報が前記記憶手段に記憶された識別情報と一致した場合に、当該携帯型端末装置の特定の機能を有効にする制御手段とを備え、前記無線通信装置は、自身の識別情報を記憶する記憶手段と、前記携帯型端末装置に対して信号を送信する無線通信手段と、前記記憶手段より識別情報を読み出して、前記無線通信手段によって当該識別情報を含む信号を送信するよう制御する制御手段とを備えるものである。このような構成により、利用者は煩雑な操作を行うことなく特定の無線通信装置を持たない他人に携帯型端末装置を利用される危険を防止することが可能となる。
【００１２】
また、本発明にかかるセキュリティシステムは、携帯型端末装置と、当該携帯型端末装置と無線通信を実行する無線通信装置とを備えたセキュリティシステムであって、前記携帯型端末装置は、予め登録された特定の無線通信装置の識別情報を記憶する記憶手段と、他の無線通信装置より送信された信号を受信する無線通信手段と、前記無線通信手段により受信した信号に含まれる識別情報を取得し、当該識別情報が前記記憶手段に記憶された識別情報と一致した場合に、当該携帯型端末装置の特定の機能を有効にする制御手段とを備え、前記無線通信装置は、自身の識別情報及び予め登録された特定の携帯型端末装置の識別情報を記憶する記憶手段と、前記携帯型端末装置に対して信号を送受信する無線通信手段と、前記無線通信手段により受信した信号に含まれる識別情報を取得し、当該識別情報が前記記憶手段に記憶された携帯型端末装置の識別情報と一致した場合に、前記無線通信手段によって当該識別情報を含む信号を送信するよう制御する制御手段とを備えたものである。このような構成により、利用者は煩雑な操作を行うことなく特定の無線通信装置を持たない他人に携帯型端末装置を利用される危険を防止することが可能となる。特にこのような構成により、無線通信装置の識別情報を不正取得される可能性を低減できる。
【００１３】
また、本発明にかかるセキュリティシステムは、携帯型端末装置と、当該携帯型端末装置と無線通信を実行する無線通信装置とを備えたセキュリティシステムであって、前記携帯型端末装置は、予め登録された特定の無線通信装置の識別情報及び認証情報を記憶する記憶手段と、他の無線通信装置より送信された信号を受信する無線通信手段と、前記無線通信手段により受信した信号に含まれる識別情報を取得し、当該識別情報が前記記憶手段に記憶された識別情報と一致すると共に前記記憶手段に記憶された認証情報を用いて認証処理を行い、認証が成立した場合に、当該携帯型端末装置の特定の機能を有効にする制御手段とを備え、前記無線通信装置は、自身の識別情報及び認証情報を記憶する記憶手段と、前記携帯型端末装置に対して信号を送信する無線通信手段と、前記記憶手段より識別情報を読み出して、前記無線通信手段によって当該識別情報を含む信号及び認証情報を含む信号を送信するよう制御する制御手段とを備えたものである。このような構成により、利用者は煩雑な操作を行うことなく特定の無線通信装置を持たない他人に携帯型端末装置を利用される危険を防止することが可能となる。特にこの発明によれば、認証処理まで行うため、他人の不正使用をより確実に防止できる。
【００１４】
上述の前記無線通信装置は、利用者の身に装着させる装着品であることを特徴としてもよい。これにより、利用者は無線通信装置を紛失する危険を防止することが可能となる。
【発明の効果】
【００１５】
本発明によれば、煩雑な操作を行うことなく他人に利用されることを防止することが可能な携帯型通信端末装置及びセキュリティシステムを提供することが可能となる。
【発明を実施するための最良の形態】
【００１６】
発明の実施の形態１．
本発明において携帯電話等の携帯端末装置のセキュリティ性を向上するために別途無線通信装置を利用している。図１は、本発明の実施の形態１にかかる携帯型端末装置及び無線通信装置の構成を示すブロック図である。図１に示されているように、このシステムでは携帯型端末装置１と無線通信装置８はブルートゥース無線通信システム等により、無線通信可能である。従って、携帯型端末装置１と無線通信装置８間は、２．４Ghz帯域の微弱電波による無線通信リンクで接続して固有のＩＤ等の信号を送受信する。
【００１７】
携帯型端末装置１は、基地局、公衆網等を介して他の固定式電話、携帯電話等と音声通信やデータ通信を行う携帯電話や携帯端末である。さらに本発明にかかる携帯型端末装置１は、例えば、ブルートゥース無線通信システム等による無線通信機能を備え、他の装置との間で基地局等を介することなく直接無線により通信を行うことができる。
【００１８】
図１に示されるように、携帯型端末装置１は、制御手段２、記憶手段３、入力手段４、出力手段５、無線通信手段６、電池７を備えている。制御手段２は、記憶手段３、入力手段４、出力手段５、無線通信手段６のそれぞれと接続されている。
【００１９】
制御手段２は、当該携帯型端末装置１における各種の制御を実行するものであり、例えば、ＣＰＵ（Central Processor Unit）等により構成される。記憶手段３は、ＲＡＭ等のメモリであり、この携帯型端末装置１を動作させるためのプログラム及びＩＤ（識別情報）等のデータが格納される。ブルートゥース無線通信システムにおいて、このＩＤは、ブルートゥースアドレスと呼ばれる識別情報（識別子）であり、それぞれの端末に対して一意的に与えられたものである。より具体的には、ブルートゥースアドレスは４８ビットの識別子である。
入力手段４は、音声入力の場合にはマイクロフォン等、データ入力の場合にはキーボード、画像入力の場合にはカメラ等である。出力手段５は、液晶ディスプレイ、スピーカー等である。無線通信手段６は、通常の携帯型端末装置として基地局や中継局との間において無線通信を行う無線処理回路やアンテナ等に加えて、ブルートゥース無線システム等により無線通信装置８等と無線通信を行う無線処理回路やアンテナ等を有する。電池７はこの携帯型端末装置１を動作させるための電力を供給するものである。
【００２０】
無線通信端末８は、ブルートゥース無線通信システムにより無線通信機能を備えている。この無線通信端末８は、無線通信手段９、制御手段１０、記憶手段１１を備えている。さらに、入力手段、出力手段、電池等を備えるようにしてもよい。また、好適な実施の形態における無線通信端末８は、指輪やネックレス等のアクセサリーの形状を有し、利用者が身に付けることができる装着品である。さらに、利用者が通常身に付ける時計、メガネ等の携行品であってもよい。但し、携帯型端末装置１を置き忘れた場合に、同時に置き忘れてしまう物は、他人の使用を制限できないことになるため、好ましくない。
無線通信手段９は、携帯型端末装置１との間でブルートゥース無線システム等により無線通信を行う手段であり、具体的には無線処理回路やアンテナ等より構成される。
【００２１】
制御手段１０は無線通信手段９、記憶手段１１のそれぞれと接続される。この制御手段１０は、当該無線通信端末８における各種の制御を実行するものであり、例えば、ＣＰＵ等により構成される。
【００２２】
記憶手段１１は、ＲＡＭ等のメモリであり、この無線通信端末８を動作させるためのプログラム及びＩＤ等のデータが格納される。
【００２３】
続いて、図２に示すフローチャートを用いて本発明にかかる携帯型端末装置の処理に
ついて説明する。
【００２４】
まず、予め定められたキー入力がされたかどうかを入力手段４を介して制御手段２が判断する（S２０１）。このキー入力の情報は、事前に携帯型端末装置１に登録される。この登録されたキー入力情報と同じキー入力が行なわれたかどうかを制御手段２が判断する。携帯型端末装置１が携帯電話である場合には待受けの状態にある場合にのみ、制御手段２が特定のキー入力がされたかどうかを判断するようにしてもよい。また、携帯型端末装置１が携帯電話以外の電子機器の場合には電源がオフの状態にある場合にのみ、制御手段２が特定のキー入力がされたかどうかを判断するようにしてもよい。尚、キー入力に関しては、携帯型端末装置１が電話番号の入力等の他の操作において用いられるキーボードに対して入力された情報を読み取るようにしてもよいが、別途、この指示を行なうための専用のキーやスイッチを設け、当該キーやスイッチを用いて入力された情報を読み取るようにしてもよい。
キー入力がされたと制御手段２が判断した場合、無線通信手段６は記憶手段３に記憶された無線通信装置８のＩＤをリードする（S２０２)。この無線通信装置８のＩＤは、予め登録され、記憶手段３に格納される。
【００２５】
次に、制御手段２は、無線通信手段６によって通信可能な無線通信装置８をスキャンする（S２０３）。具体的には、携帯型端末装置１からスキャン信号を送信し、このスキャン信号に対する無線通信装置８からの応答信号を受信する。かかる応答信号には、無線通信装置８のＩＤが含まれる。ブルートゥース無線通信システムにおいて、このスキャン処理は、問合せ処理若しくは呼び出し処理に相当する。その結果、制御手段２は、無線通信装置８を見つけた場合（S２０４）には、検出した無線通信装置８全てについてそのＩＤを取得する（S２０５）。見つからない場合はこの処理を終了する。
【００２６】
検出した無線通信装置８のＩＤのうち、記憶手段３に記憶された無線通信装置８のＩＤと一致したＩＤが存在した場合（S２０６）、制御手段２は、入力手段や出力手段を有効にする（S２０７）。これにより、携帯型端末装置１自体が利用可能となる。より具体的には、入力受付や別の携帯型端末装置との通信など特定の機能を有効にする。
制御手段２が一致しなかったと判定した場合は、さらに無線通信手段６によって無線通信装置８をスキャンする。
【００２７】
続いて、図３に示すフローチャートを用いて本発明にかかる無線通信装置の処理について説明する。
【００２８】
まず、制御手段１０は、無線通信手段９が携帯型端末装置１からスキャン信号を受信したかどうか判断する（S３０１）。制御手段１０が当該スキャン信号を受信したと判定した場合は、携帯型端末装置１に対して記憶手段１１に格納されている当該無線通信装置８のＩＤを送信する（S３０２）。このＩＤは、図２に示すステップＳ２０４に定める携帯型端末装置１の判定処理に用いられる。
【００２９】
以上説明したように、本発明の実施の形態１にかかる携帯型通信装置１及び無線通信装置８はキー入力を検知して自動的に無線通信装置との通信状態を確認し、これに基づいて特定の機能を有効にするため、利用者の手を煩わすことなく利用することができ、他人の不正利用を効果的に防止できる。
【００３０】
発明の実施の形態２．
図３における無線通信装置の処理の代わりに、図４における無線通信装置の処理を利用し、安全性を増した例である。
【００３１】
まず、制御手段１０は、無線通信手段９が携帯型端末装置１からスキャン信号を受信したかどうか判断する（S４０１）。このスキャン信号には、携帯型端末装置１のＩＤが含まれる。制御手段１０がスキャン信号を受信したと判断した場合には、スキャン信号より携帯型端末装置１のＩＤを取得する（S４０２）。
続いて、制御手段１０は、記憶手段１１に記憶された接続可能な携帯型端末装置のＩＤをリードする（S４０３）。この接続可能な携帯型端末装置のＩＤは予め記憶手段１１に格納しておく。
そして、制御手段１０は、スキャン信号より取得したＩＤ（Ｓ４０２）と、接続可能な携帯型端末装置のＩＤ（Ｓ４０３）が一致するかどうか判定する（S４０４）。制御手段１０がこれらのＩＤが一致すると判断した場合には、無線通信手段９によって携帯型端末１に対して記憶手段１１に格納されている当該無線通信装置８のＩＤを送信する（S４０５）。
【００３２】
このようにすることによって、予め登録されたＩＤにより定められる他の装置によって、当該無線通信装置のＩＤが不正に読み出され、携帯型端末装置を不正に利用される危険性を減少させることができる。
【００３３】
その他の発明の実施の形態．
上述の例では、携帯型端末装置は、無線通信機器よりＩＤを取得し、このＩＤが予め登録されたＩＤと同じであれば、利用可能とする処理を行ったが、これに限らず、さらに認証処理まで実行し、認証が成立した場合に利用可能とする処理を行うようにしてもよい。この場合には、携帯型端末装置と無線通信機器との間で認証情報の送受信を行ない、認証処理を実行する。ブルートゥース無線通信システムでは、リンクキーを用いた認証処理を行う。このように認証処理まで実行することにより、さらに確実に携帯型端末装置の不正利用を防止することが可能となる。
【００３４】
また、上述の例では、携帯型端末装置が無線通信機器の認証を行えなかった場合に、持ち主の住所、名前などの情報を表示したり、持ち主の電話番号にのみ電話をかけたりする等の特定の機能のみを有効にしてもよい。これにより、利用者が携帯型端末装置を紛失し他人が拾った場合に、利用者は他人に利用されることなく連絡を受けることが可能となる。
【図面の簡単な説明】
【００３５】
【図１】本発明にかかる携帯型端末装置及び無線通信装置の構成例を示す図である。
【図２】本発明にかかる携帯型端末装置の処理フローを示すフローチャートである。
【図３】本発明にかかる無線通信装置の処理フローを示すフローチャートである。
【図４】本発明にかかる無線通信装置の処理フローを示すフローチャートである。
【符号の説明】
【００３６】
１  携帯型端末装置
２  制御手段
３  記憶手段
４  入力手段-
５  出力手段
６  無線通信手段
７  電池
８  無線通信装置
９  無線通信手段
１０  制御手段
１１  記憶手段
【図１】
2005130008.tif 000003
【図２】
2005130008.tif 000004
【図３】
2005130008.tif 000005
【図４】
2005130008.tif 000006